(57)【要約】【課題】端子の不完全挿入を確実に検知できるワイヤハーネス用検査治具の検査ピン及びワイヤハーネス用検査治具を提供する。【解決手段】ワイヤハーネス用検査治具２はコネクタハウジング７に収容された雄端子６に導通検査を施す。雄端子６のタブ３１はコネクタハウジング７の表面３３ａから突出している。ワイヤハーネス用検査治具２は検査ピン１を備えている。検査ピン１は雄端子６と接触する導通接触部２２と接触キャップ２５を備えている。導通接触部２２は雄端子６に向かって付勢されている。接触キャップ２５は導通接触部２２の外周に取り付けられ導通接触部２２より雄端子６に向かって突出している。接触キャップ２５は雄端子６の完全挿入時に導通接触部２２に雄端子６が接触することを許容する。接触キャップ２５は雄端子６の不完全挿入時に導通接触部２２に雄端子６が接触することを規制する。【選択図】      図３
2005044567.tif 000002
【特許請求の範囲】
【請求項１】
コネクタハウジング内に収容された端子を備えたワイヤハーネスに導通検査を行うために用いられるワイヤハーネス用検査治具の検査ピンであって、
前記端子の先端部は、前記コネクタハウジングの端面から該コネクタハウジングの外側に突出しており、
前記ワイヤハーネス用検査治具に取り付けられる本体部と、
前記コネクタハウジングの端面と相対し、前記本体部に突没自在に支持されかつ前記本体部から突出する方向に付勢されているとともに前記端子の先端部に接触して前記端子と導通する導通接触部と、
前記導通接触部の外周に設けられ、かつ前記端子の先端部と前記コネクタハウジングの前記導通接触部に相対する端面との距離が予め定められる所望の距離以上であると前記導通接触部が前記端子の先端部に接触することを許容するとともに、前記端子の先端部と前記コネクタハウジングの前記導通接触部に相対する端面との距離が予め定められる所望の距離未満であると前記端面と接触して前記導通接触部が前記端子の先端部と接触することを規制する端面接触部と、を備えたことを特徴とするワイヤハーネス用検査治具の検査ピン。
【請求項２】
前記端面接触部は、管状に形成されかつ内側に前記導通接触部を配しているとともに前記導通接触部より前記コネクタハウジングの端面に向かって突出していることを特徴とする請求項１記載のワイヤハーネス用検査治具の検査ピン。
【請求項３】
前記端面接触部の前記導通接触部からの突出量は、前記所望の距離以下であることを特徴とする請求項２記載のワイヤハーネス用検査治具の検査ピン。
【請求項４】
コネクタハウジング内に収容された端子を備えたワイヤハーネスに導通検査を行うために用いられるワイヤハーネス用検査治具の検査ピンであって、
前記端子の先端部は、前記コネクタハウジングの端面から該コネクタハウジングの内側に没しており、
前記ワイヤハーネス用検査治具に取り付けられる本体部と、
前記コネクタハウジングの端面と相対し、前記本体部に突没自在に支持されかつ前記本体部から突出する方向に付勢されているとともに前記端子の先端部に接触して前記端子と導通する導通接触部と、
前記導通接触部の外周に設けられ、かつ前記端子の先端部と前記コネクタハウジングの前記導通接触部に相対する端面との距離が予め定められる所望の距離以下であると前記導通接触部が前記端子の先端部に接触することを許容するとともに、前記端子の先端部と前記コネクタハウジングの前記導通接触部に相対する端面との距離が予め定められる所望の距離を越えると前記端面と接触して前記導通接触部が前記端子の先端部と接触することを規制する端面接触部と、を備えたことを特徴とするワイヤハーネス用検査治具の検査ピン。
【請求項５】
前記端面接触部は、管状に形成されかつ内側に前記導通接触部を配しているとともに前記導通接触部より前記コネクタハウジングの端面から離れていることを特徴とする請求項４記載のワイヤハーネス用検査治具の検査ピン。
【請求項６】
前記端面接触部と前記導通接触部との距離は、前記所望の距離以上であることを特徴とする請求項５記載のワイヤハーネス用検査治具の検査ピン。
【請求項７】
コネクタハウジング内に収容された端子を備えたワイヤハーネスに導通検査を行うために用いられるワイヤハーネス用検査治具であって、
前記コネクタハウジングを取り付けるコネクタ受け部と、
前記コネクタ受け部と相対的に接離自在に設けられた検査部と、
前記検査部に取り付けられかつ前記コネクタハウジング内の端子と導通可能な請求項１ないし請求項６のうちいずれか一項に記載のワイヤハーネス用検査治具の検査ピンとを備え、
前記コネクタ受け部に前記端子を収容したコネクタハウジングを取り付け、前記検査部とコネクタ受け部とを近づけて、前記ワイヤハーネス用検査治具の検査ピンと前記端子とを導通させてワイヤハーネスに導通検査を行うことを特徴とするワイヤハーネス用検査治具。
【発明の詳細な説明】
【０００１】
【発明の属する技術分野】
本発明は、ワイヤハーネスに導通検査を施す際に、該ワイヤハーネスの端子との導通を確保するワイヤハーネス用検査治具の検査ピン及びワイヤハーネス用検査治具に関する。
【０００２】
【従来の技術】
複数の電線と、これらの電線の端部それぞれに接続された端子を収容するコネクタと、を備えたワイヤハーネスは、前記端子それぞれについて、他の端子との導通の有無をチェックすることによって、良否が判定されてきた。
【０００３】
従来この種のワイヤハーネスの検査方法は、以下に示す手順に沿って行われてきた。ワイヤハーネスの端子のうち一つの端子を選択して、この選択した端子に印加して、他の端子の電位の高・低を判定する。全ての端子に順番に印加して、それぞれの場合の印加した端子以外の全ての端子の電位を順番に判定する。そして、全ての端子の相互の導通状況を把握する。
【０００４】
前述したように把握した端子相互の導通状況と、前記ワイヤハーネスが正常である場合の端子相互の導通状況と、を対比することによって、前記ワイヤハーネスの良否、及び異常がある場合には異常箇所を把握してきた。
【０００５】
前述したようにワイヤハーネスを検査するために、従来から前記コネクタを保持する検査治具（例えば、特許文献１参照。）を用いてきた。この種の検査治具は、前記コネクタを保持するコネクタ受け部と、レバーなどにより前記コネクタ受け部に接離自在に設けられた検査部と、前記検査部に取り付けられかつ検査部が前記コネクタ受け部に近づくと前記端子と導通する検査ピンとを備えている。
【０００６】
検査ピンは、前記検査部などに取り付けられる本体部と、前記本体部から突没自在に設けられかつ前記本体部から突出する方向に付勢されているとともに前記端子と接触して導通する導通接触部とを備えている。前述した検査治具は、コネクタ受け部にコネクタを保持し、レバーにより検査部をコネクタ受け部に近づけて、前記端子と検査ピンとを導通させることで、各端子同士の導通状況の良否を判定してきた。
【０００７】
【特許文献１】
特開平１１−３４４５２３号公報
【０００８】
【発明が解決しようとする課題】
コネクタハウジングと端子のうち一方には、他方に係止する係止アームなどを備えている。係止アームが他方に係止することで、端子がコネクタハウジングの所定の位置に位置付けられる。
【０００９】
前述したコネクタは、一つのコネクタハウジングに多数の端子を収容することが多い。このため、コネクタハウジングのそりや各端子の公差などにより、各端子の先端部の前記導通接触部が前記本体部から突出する方向の位置がばらつくことが多い。このため、前述した検査ピンでは、前記本体部からの検査部の突没量を大きくして、各検査ピンの検査部を確実に各端子の先端部に接触できるようにしている。
【００１０】
一方、前述した自動車には、より多種多様な電子機器が搭載されるようになり、前述したワイヤハーネスを構成する電線が増加する傾向であった。このため、勿論、コネクタハウジング内に収容される端子も増加する傾向であるとともに、ワイヤハーネスなどの軽量化の為に前述したコネクタ即ち端子を小型化する傾向であった。このため、前述した係止アームが確実に係止せずに、端子がコネクタハウジングの所定の位置に位置付けられない場合に、端子の先端部とコネクタハウジングの端面との距離が所望の距離より若干大きくなったり小さくなることである。係止アームが確実に係止していない状態を、端子がコネクタハウジング内に不完全挿入されているという。
【００１１】
前述した従来の検査ピンでは、前述した本体部に対する導通接触部の突没量が前述した公差により定められている。このため、前述した係止アームが確実に係止せずに、端子がコネクタハウジングの所定の位置に位置付けられない場合にも、検査ピンが端子の先端部に接触して、検査対象物のコネクタ即ちワイヤハーネスを良品と判定してしまう虞があった。このように、従来の検査ピン及び該検査ピンを備えた検査治具では、端子のコネクタハウジングへの不完全挿入を検知することが困難であった。
【００１２】
したがって、本発明の目的は、端子の不完全挿入を確実に検知できるワイヤハーネス用検査治具の検査ピン及びワイヤハーネス用検査治具を提供することにある。
【００１３】
【課題を解決するための手段】
前記課題を解決し目的を達成するために、請求項１に記載の本発明のワイヤハーネス用検査治具の検査ピンは、コネクタハウジング内に収容された端子を備えたワイヤハーネスに導通検査を行うために用いられるワイヤハーネス用検査治具の検査ピンであって、前記端子の先端部は、前記コネクタハウジングの端面から該コネクタハウジングの外側に突出しており、前記ワイヤハーネス用検査治具に取り付けられる本体部と、前記コネクタハウジングの端面と相対し、前記本体部に突没自在に支持されかつ前記本体部から突出する方向に付勢されているとともに前記端子の先端部に接触して前記端子と導通する導通接触部と、前記導通接触部の外周に設けられ、かつ前記端子の先端部と前記コネクタハウジングの前記導通接触部に相対する端面との距離が予め定められる所望の距離以上であると前記導通接触部が前記端子の先端部に接触することを許容するとともに、前記端子の先端部と前記コネクタハウジングの前記導通接触部に相対する端面との距離が予め定められる所望の距離未満であると前記端面と接触して前記導通接触部が前記端子の先端部と接触することを規制する端面接触部と、を備えたことを特徴としている。
【００１４】
請求項２に記載の本発明のワイヤハーネス用検査治具の検査ピンは、請求項１に記載のワイヤハーネス用検査治具の検査ピンにおいて、前記端面接触部は、管状に形成されかつ内側に前記導通接触部を配しているとともに前記導通接触部より前記コネクタハウジングの端面に向かって突出していることを特徴としている。
【００１５】
請求項３に記載の本発明のワイヤハーネス用検査治具の検査ピンは、請求項２記載のワイヤハーネス用検査治具の検査ピンにおいて、前記端面接触部の前記導通接触部からの突出量は、前記所望の距離以下であることを特徴としている。
【００１６】
請求項４記載の本発明のワイヤハーネス用検査治具の検査ピンは、コネクタハウジング内に収容された端子を備えたワイヤハーネスに導通検査を行うために用いられるワイヤハーネス用検査治具の検査ピンであって、前記端子の先端部は、前記コネクタハウジングの端面から該コネクタハウジングの内側に没しており、前記ワイヤハーネス用検査治具に取り付けられる本体部と、前記コネクタハウジングの端面と相対し、前記本体部に突没自在に支持されかつ前記本体部から突出する方向に付勢されているとともに前記端子の先端部に接触して前記端子と導通する導通接触部と、前記導通接触部の外周に設けられ、かつ前記端子の先端部と前記コネクタハウジングの前記導通接触部に相対する端面との距離が予め定められる所望の距離以下であると前記導通接触部が前記端子の先端部に接触することを許容するとともに、前記端子の先端部と前記コネクタハウジングの前記導通接触部に相対する端面との距離が予め定められる所望の距離を越えると前記端面と接触して前記導通接触部が前記端子の先端部と接触することを規制する端面接触部と、を備えたことを特徴としている。
【００１７】
請求項５に記載の本発明のワイヤハーネス用検査治具の検査ピンは、請求項４に記載のワイヤハーネス用検査治具の検査ピンにおいて、前記端面接触部は、管状に形成されかつ内側に前記導通接触部を配しているとともに前記導通接触部より前記コネクタハウジングの端面から離れていることを特徴としている。
【００１８】
請求項６に記載の本発明のワイヤハーネス用検査治具の検査ピンは、請求項５記載のワイヤハーネス用検査治具の検査ピンにおいて、前記端面接触部と前記導通接触部との距離は、前記所望の距離以上であることを特徴としている。
【００１９】
請求項７に記載の本発明のワイヤハーネス用検査治具は、コネクタハウジング内に収容された端子を備えたワイヤハーネスに導通検査を行うために用いられるワイヤハーネス用検査治具であって、前記コネクタハウジングを取り付けるコネクタ受け部と、前記コネクタ受け部と相対的に接離自在に設けられた検査部と、前記検査部に取り付けられかつ前記コネクタハウジング内の端子と導通可能な請求項１ないし請求項６のうちいずれか一項に記載のワイヤハーネス用検査治具の検査ピンとを備え、前記コネクタ受け部に前記端子を収容したコネクタハウジングを取り付け、前記検査部とコネクタ受け部とを近づけて、前記ワイヤハーネス用検査治具の検査ピンと前記端子とを導通させてワイヤハーネスに導通検査を行うことを特徴としている。
【００２０】
請求項１に記載した本発明のワイヤハーネス用検査治具の検査ピンによれば、端面接触部がコネクタハウジングの端面に接触するか否かで、導通接触部を端子と絶縁したり導通させる。このため、不完全挿入時に、端子の先端部の端面からの突出量が所望の距離を下回ると、端面接触部がコネクタハウジングの端面と接触して導通接触部が端子の先端部と接触しない。
【００２１】
また、端子の先端部とコネクタハウジングの端面との距離が所望の距離以上であるか否かを検査する。このため、導通接触部の本体部から突没する量を端子の先端部とコネクタハウジングの端面との距離の公差のみに基づいて設定できる。
【００２２】
なお、本明細書でいう所望の距離とは、設計時に定められて、係止アームが係止して端子がコネクタハウジングの所定の位置に位置付けられた時の端子の先端部とコネクタハウジングの端面との距離である。即ち、所望の距離とは、設計時に定められる端子がコネクタハウジング内に完全挿入された時の前述した距離である。
【００２３】
請求項２に記載した本発明のワイヤハーネス用検査治具の検査ピンによれば、端面接触部が管状でかつ導通接触部よりコネクタハウジングの端面に向かって突出している。このため、端面接触部は、端子の先端部とコネクタハウジングの端面との距離が所望の距離を下回ると、確実にコネクタハウジングの端面に接触する。
【００２４】
請求項３に記載した本発明のワイヤハーネス用検査治具の検査ピンによれば、端面接触部の導通接触部からの突出量が所望の距離以下である。
【００２５】
請求項４に記載した本発明のワイヤハーネス用検査治具の検査ピンによれば、端面接触部がコネクタハウジングの端面に接触するか否かで、導通接触部を端子と絶縁したり導通させる。このため、不完全挿入時に、端子の先端部の端面からの距離が所望の距離を上回ると、端面接触部がコネクタハウジングの端面と接触して導通接触部が端子の先端部と接触しない。
【００２６】
また、端子の先端部とコネクタハウジングの端面との距離が所望の距離以下であるか否かを検査する。このため、導通接触部の本体部から突没する量を端子の先端部とコネクタハウジングの端面との距離の公差のみに基づいて設定できる。
【００２７】
請求項５に記載した本発明のワイヤハーネス用検査治具の検査ピンによれば、端面接触部が管状でかつ導通接触部よりコネクタハウジングの端面から離れている。このため、端面接触部は、端子の先端部とコネクタハウジングの端面との距離が所望の距離を上回ると、確実にコネクタハウジングの端面に接触する。
【００２８】
請求項６に記載した本発明のワイヤハーネス用検査治具の検査ピンによれば、端面接触部の導通接触部からの距離が所望の距離以上である。
【００２９】
請求項７に記載した本発明のワイヤハーネス用検査治具によれば、検査ピンの端面接触部がコネクタハウジングの端面に接触するか否かで、導通接触部を端子と絶縁したり導通させる。このため、検査ピンが端子と絶縁するか導通するかで、端子が不完全挿入であるか否かを検知できる。
【００３０】
また、端子の先端部とコネクタハウジングの端面との距離が所望の距離以上又は以下であるか否かを検査する。このため、導通接触部の本体部から突没する量を端子の先端部とコネクタハウジングの端面との距離の公差のみに基づいて設定できる。
【００３１】
【発明の実施の形態】
以下、本発明の第１の実施形態にかかるワイヤハーネス用検査治具の検査ピン（以下、単に検査ピンと呼ぶ）及びワイヤハーネス用検査治具を図１ないし図８を参照して説明する。図３などに示された検査ピン１は、図１に示すワイヤハーネス用検査治具（以下単に検査治具と呼ぶ）２を構成している。検査治具２は、ワイヤハーネス３に導通検査を施す際に用いられる。ワイヤハーネス３は、図１に示すように、複数の電線４と、複数のコネクタ５（図１中には一つのみ示す）と、を備えている。
【００３２】
電線４は、導電性の芯線と、該芯線を被覆する絶縁性の被覆部と、を備えた所謂被覆電線である。コネクタ５は、図２及び図３に示すように、端子としての雄型の端子（以下、単に雄端子と呼ぶ）６（図４に示す）と、コネクタハウジング７と、を備えている。
【００３３】
雄端子６は、導電性の板金などが折り曲げられて得られる。雄端子６は、電線接続部３０と、電気接触部としてのタブ３１とを一体に備えている。電線接続部３０は、電線４の端部などに取りつけられて、前記芯線即ち電線４と電気的に接続する。タブ３１は、板状に形成されている。タブ３１の電線接続部３０から離れた側の端部（以下先端部と呼ぶ）３１ａは、本明細書に記した雄端子６の先端部をなしている。
【００３４】
コネクタハウジング７は、絶縁性の合成樹脂からなり、かつ箱状に形成されている。コネクタハウジング７は、図２及び図３に示すように、端子収容室８を複数備えている。端子収容室８は、前記雄端子６を収容する。各端子収容室８には、係止アーム３２が設けられている。係止アーム３２は、雄端子６に係止する。
【００３５】
また、端子収容室８は、コネクタハウジング７即ちコネクタ５が検査治具２の後述のコネクタ受け部１２に取り付けられると、後述の検査部１３に取り付けられた検査ピン１に相対するコネクタハウジング７の外壁３３を貫通している。この外壁３３の検査ピン１の後述の導通接触部２２に相対する表面３３ａは、本明細書に記した端面なしている。
【００３６】
各端子収容室８は、外壁３３の表面３３ａからタブ３１が検査ピン１に向かって（即ち、コネクタハウジング７の外側に）突出した状態で、雄端子６を収容する。そして、係止アーム３２が雄端子６に係止することで、端子収容室８は、雄端子６が抜け出ることを防止する。このとき、タブ３１は、外壁３３の表面３３ａから距離Ｌ１突出している。距離Ｌ１は、本明細書に記した所望の距離をなしている。
【００３７】
距離Ｌ１は、係止アーム３２が雄端子６に係止した状態即ち雄端子６がコネクタハウジング７の正規の位置に収容された時の雄端子６のタブ３１の先端部３１ａとコネクタハウジング７の検査ピン１の後述の導通接触部２２に相対する表面３３ａとの距離をなしている。
【００３８】
このため、距離Ｌ１は、コネクタ５などの設計時に定められて、係止アーム３２が係止して雄端子６がコネクタハウジング７の所定の位置に位置付けられた時即ち完全挿入された時の雄端子６のタブ３１の先端部３１ａとコネクタハウジング７の表面３３ａとの距離である。完全挿入とは、係止アーム３２が雄端子６に係止した状態を示している。また、端子収容室８内に収容された雄端子６に係止アーム３２が係止していない状態を、不完全挿入と呼ぶ。不完全挿入時には、雄端子６のタブ３１の先端部３１ａとコネクタハウジング７の表面３３ａとの距離は、前記距離Ｌ１より小さくなる。
【００３９】
ワイヤハーネス３は、電線４の端部などに雄端子６が取り付けられ、該雄端子６がコネクタハウジング７内に収容されて得られる。このような構成のワイヤハーネス３は、自動車に配索される。ワイヤハーネス３のコネクタ５は、前記自動車に搭載される電子機器のコネクタにコネクタ結合する。ワイヤハーネス３は、バッテリなどの電源からの電力や、制御装置などからの制御信号を、前記電子機器に伝える。
【００４０】
検査治具２は、図１に示すように、台などの上に設置される基部１０と、操作レバー１１と、コネクタ受け部１２と、検査部１３と、を備えている。基部１０は、互いに平行な一対の側壁１４などを備えている。操作レバー１１と、コネクタ受け部１２と、検査部１３とは、前記一対の側壁１４間に設けられている。
【００４１】
操作レバー１１は、前記側壁１４の一端部に矢印Ｋに沿って回転自在に支持されている。コネクタ受け部１２は、前記側壁１４の他端部に設けられている。コネクタ受け部１２は、端子収容室８の開口部即ち前述した表面３３ａが、前記操作レバー１１即ち検査部１３に相対する状態で、前記コネクタ５を保持する。図示例では、コネクタ受け部１２には、鉛直方向に沿ってコネクタ５が出し入れ自在となっている。
【００４２】
検査部１３は、側壁１４の中央部に設けられている。検査部１３は、図２及び図３に示すように、検査部本体１５と、複数の検査ピン１と、を備えている。検査部本体１５は、方体状に形成されている。検査部本体１５は、コネクタ受け部１２に近づいたり離れたりする方向にスライド自在に、一対の側壁１４間に配されている。即ち、検査部本体１５は、矢印Ｓに沿ってコネクタ受け部１２に接離自在に、一対の側壁１４間に配されている。なお、接離とは、互いに近づいたり離れることである。検査部本体１５は、リンク１７により操作レバー１１と連結されており、操作レバー１１が矢印Ｋに沿って回動するのに連動して、矢印Ｓに沿ってスライドする。
【００４３】
検査ピン１は、検査部本体１５内に埋設されている（取り付けられている）。検査ピン１は、コネクタ受け部１２に保持されるコネクタ５の端子収容室８と同数設けられている。検査ピン１は、後述する導通接触部２２が前記検査部本体１５からコネクタ受け部１２に向かって突出している。導通接触部２２は、コネクタ受け部１２に相対している。即ち、導通接触部２２は、コネクタハウジング７の表面３３ａに相対する。また、検査ピン１は、導通接触部２２の後述する接触面２２ａが、前記端子収容室８即ち雄端子６のタブ３１の先端部３１ａに相対する。
【００４４】
検査ピン１は、図２ないし図５に示すように、円管状の本体部２０と、導電性の導通ピン２１（図５に示す）と、導電性の導通接触部２２と、基部キャップ２４（図５に示す）と、付勢手段としての導電性のコイルばね２３（図５に示す）と、端面接触部としての接触キャップ２５を備えている。本体部２０は、図２及び図３に示すように、検査治具２の検査部本体１５に取り付けられる。
【００４５】
本体部２０の中央部には、段部２６が設けられている。段部２６は、本体部２０の内径を段階的に変化させている。段部２６よりコネクタ受け部１２寄りの内径は、段部２６よりコネクタ受け部１２から離れた側の内径より小さくなっている。
【００４６】
導通ピン２１は、金属などからなり、円柱状のピン本体２７と、このピン本体２７の中央部に設けられた太部２８とを備えている。ピン本体２７の外径は、本体部２０の段部２６よりコネクタ受け部１２寄りの内径と等しい。太部２８は、全周に亘ってピン本体２７から外周方向に突出している、太部２８とピン本体２７とは互いに同軸に配されている。太部２８の外径は、本体部２０の段部２６よりコネクタ受け部１２から離れた側の内径と等しい。導通ピン２１は、本体部２０内に、該本体部２０の長手方向にスライド自在に収容される。
【００４７】
導通ピン２１が本体部２０内に収容されると、太部２８は、段部２６と当接する。ピン本体２７のコネクタ受け部１２寄りの端部の外周には、ねじ溝が形成されており、ピン本体２７のコネクタ受け部１２から離れた側の端部には、電線１６が取り付けられている。電線１６は、図示しないコンピュータなどに接続している。
【００４８】
導通接触部２２は、円柱状に形成されており、前述したねじ溝に螺合して、ピン本体２７即ち導通ピン２１に取り付けられる。導通接触部２２は、ピン本体２７に取り付けられると、該ピン本体２７と同軸になる。導通接触部２２は、ピン本体２７に取り付けられることで、その軸芯に沿ってスライド自在に、前記本体部２０に取り付けられている。即ち、導通接触部２２は、本体部２０に突没自在に支持されている。
【００４９】
また、太部２８と段部２６によって、導通接触部２２は、本体部２０内から抜け出ない。導通接触部２２のコネクタ受け部１２即ちこのコネクタ受け部１２に取り付けられるコネクタ５の雄端子６のタブ３１の先端部３１ａに相対する端面（以下接触面と記す）２２ａは、前記導通接触部２２の軸芯及び前述した矢印Ｓに直交する方向に沿って平坦に形成されている。
【００５０】
基部キャップ２４は、本体部２０のコネクタ受け部１２から離れた側の端部に取り付けられる。基部キャップ２４は、導通ピン２１の外周に嵌合するとともに本体部２０の内周に嵌合する。基部キャップ２４は、導通ピン２１と本体部２０とを互いに同軸に保つ。
【００５１】
コイルばね２３は、本体部２０内に収容されており、内側に導通ピン２１を通しているとともに、基部キャップ２４と太部２８との間に設けられている。コイルばね２３は、太部２８即ち導通接触部２２を本体部２０から突出する方向に付勢している。即ち、コイルばね２３は、導通接触部２２をコネクタ受け部１２に取り付けられたコネクタ５の雄端子６のタブ３１の先端部３１ａに向かって付勢する。
【００５２】
接触キャップ２５は、例えば、ポリエーテルエーテルケトン（Ｐｏｌｙｅｔｈｅｒｅｔｈｅｒｋｅｔｏｎｅ：ＰＥＥＫ）などの合成樹脂からなり円筒状に形成されている。接触キャップ２５は、図８に示すように、導通接触部２２のコネクタ受け部１２寄りの先端部の外周に係合している。このため、接触キャップ２５は導通接触部２２の接触面２２ａの外周に設けられる。即ち、接触キャップ２５は、内側に導通接触部２２を配している。接触キャップ２５と導通接触部２２などとは互いに同軸になる。また、接触キャップ２５は、導通接触部２２の接触面２２ａよりコネクタ受け部１２に向かって突出している。
【００５３】
接触キャップ２５の接触面２２ａの導通接触部２２からのコネクタ受け部１２に向かって突出する突出量Ｔ１は、前述した距離Ｌ１より若干小さい。距離Ｌ１と突出量Ｔ１との差は、雄端子６が前述した完全挿入であるか不完全挿入であるかを判定できる値であるのが望ましい。即ち、突出量Ｔ１は、距離Ｌ１以下である。
【００５４】
このため、雄端子６が完全挿入であると、検査部１３をコネクタ受け部１２に近づけると、接触キャップ２５はコネクタ５の表面３３ａに接触せずに、図６に示すように、導通接触部２２の接触面２２ａに雄端子６のタブ３１の先端部３１ａが接触する。このため、雄端子６が完全挿入であると、接触キャップ２５は導通接触部２２の接触面２２ａに雄端子６のタブ３１の先端部３１ａが接触することを許容する。このため、接触キャップ２５は、雄端子６のタブ３１の先端部３１ａとコネクタハウジング７の表面３３ａとの距離が予め定められる所望の距離Ｌ１以上であると、導通接触部２２が雄端子６のタブ３１の先端部３１ａに接触することを許容する。
【００５５】
雄端子６が不完全挿入であると、検査部１３をコネクタ受け部１２に近づけると、接触キャップ２５はコネクタ５の表面３３ａに接触して、図７に示すように、導通接触部２２の接触面２２ａに雄端子６のタブ３１の先端部３１ａが接触しない。このため、雄端子６が不完全挿入であると、接触キャップ２５は導通接触部２２の接触面２２ａに雄端子６のタブ３１の先端部３１ａが接触することを規制する。このため、接触キャップ２５は、雄端子６のタブ３１の先端部３１ａとコネクタハウジング７の表面３３ａとの距離が予め定められる所望の距離Ｌ１未満であると前記表面３３ａと接触して、導通接触部２２が雄端子６のタブ３１の先端部３１ａと接触することを規制する。
【００５６】
前述した構成の検査ピン１を備えた検査治具２を用いて、ワイヤハーネス３に導通検査を施す際には、まず、コネクタ受け部１２から検査部１３を離しておき、検査治具２のコネクタ受け部１２にコネクタ５を取り付ける（保持する）。操作レバー１１を矢印Ｋに沿って回転して、検査部１３を矢印Ｓに沿ってコネクタ受け部１２即ちコネクタ５に近づける。
【００５７】
すると、前記導通接触部２２がコイルばね２３によって付勢されているため、雄端子６が完全挿入であると、図６に示すように、導通接触部２２の接触面２２ａとコネクタ５の雄端子６のタブ３１の先端部３１ａとが互いに接触する。また、雄端子６が不完全挿入であると、図７に示すように、導通接触部２２の接触面２２ａとコネクタ５の雄端子６のタブ３１の先端部３１ａとが互いに接触しない。
【００５８】
前述したコンピュータなどが、前記電線１６や検査ピン１を介して、前記雄端子６に順番に印加する。コンピュータが、雄端子６相互の導通状況を把握する。把握した導通状況と、良品の場合の導通状況とを比較して、雄端子６が完全挿入であるか不完全挿入であるかなどのワイヤハーネス３の良否を判定する。
【００５９】
本実施形態によれば、接触キャップ２５がコネクタハウジング７の表面３３ａに接触するか否かで、導通接触部２２を雄端子６と絶縁したり導通させる。このため、不完全挿入時に、雄端子６のタブ３１の先端部３１ａの表面３３ａからの突出量が所望の距離Ｌ１を下回ると、接触キャップ２５がコネクタハウジング７の表面３３ａと接触して導通接触部２２が雄端子６のタブ３１の先端部３１ａと接触しない。
【００６０】
また、雄端子６の先端部３１ａとコネクタハウジング７の表面３３ａとの距離が所望の距離Ｌ１以上であるか否かを検査する。このため、導通接触部２２の本体部２０から突没する量を雄端子６の先端部３１ａとコネクタハウジング７の表面３３ａとの距離の公差のみに基づいて設定できる。このため、導通接触部２２が本体部２０から突没する量を設定する際に、コネクタハウジング７のそりを考慮する必要がなくなり、コネクタハウジング７のそりを考慮した場合より導通接触部２２が本体部２０から突没する量を非常に小さくできる。
【００６１】
このため、雄端子６の先端部３１ａと表面３３ａとの距離が所望の距離Ｌ１を下回る不完全挿入時に、導通接触部２２が雄端子６の先端部３１ａと接触することを防止できる。したがって、誤検知を防止でき、雄端子６の不完全挿入を確実に検知できる。
【００６２】
接触キャップ２５が管状でかつ導通接触部２２よりコネクタハウジング７の表面３３ａに向かって突出している。このため、接触キャップ２５は、雄端子６のタブ３１の先端部３１ａとコネクタハウジング７の表面３３ａとの距離が所望の距離Ｌ１を下回ると、確実にコネクタハウジング７の表面３３ａに接触する。
【００６３】
接触キャップ２５の導通接触部２２の接触面２２ａからの突出量Ｔ１が所望の距離Ｌ１より小さい。これにより、接触キャップ２５は、雄端子６のタブ３１の先端部３１ａとコネクタハウジング７の表面３３ａとの距離が所望の距離Ｌ１を下回ると、確実にコネクタハウジング７の表面３３ａに接触する。
【００６４】
このように、雄端子６のタブ３１の先端部３１ａのコネクタハウジング７の表面３３ａからの突出量が所望の距離Ｌ１以上であるか否かを確実に検知できる。このため、雄端子６と絶縁するか導通するかで、雄端子６が不完全挿入であるか否かを確実に検知できる。
【００６５】
前述した第１の実施形態では、接触キャップ２５を円管状に形成し、導通接触部２２の接触面２２ａを平坦に形成している。しかしながら、本発明では、図９に示すように、接触キャップ２５のコネクタ受け部１２寄りの端部にテーパ面３４を設け、接触面２２ａに複数のテーパ面３５，３６により凹部３７を設けても良い。
【００６６】
テーパ面３４は、接触キャップ２５の内径を、コネクタ受け部１２に向かうにしたがって徐々に大きくしている。凹部３７は、テーパ面３５，３６によりコネクタ受け部１２に向かうにしたがって徐々に開口が大きくなっている。また、凹部３７は、接触面２２ａの中央部で接触面２２ａから最も深くなっている。これらのテーパ面３４，３５，３６を設けることで、接触キャップ２５内にタブ３１を確実に挿入でき、凹部３７の底にタブ３１を確実に接触させることができる。
【００６７】
次に、本発明の第２の実施形態にかかる検査ピン１及び検査治具２を図１０ないし図１５を参照して説明する。なお、前述した第１の実施形態と同一構成部分には、同一符号を付して説明を省略する。
【００６８】
本実施形態では、コネクタ５のコネクタハウジング７内の端子としての雌型の端子（以下、単に雌端子と呼ぶ）４０が完全挿入であるか不完全挿入であるかなどのワイヤハーネス３の良否を判定する。即ち、本実施形態の検査対象物としてのワイヤハーネス３のコネクタ５は、図１０及び図１１に示すように、雌端子４０を備えている。雌端子４０の電気接触部４１は、筒状に形成されている。雌端子４０が端子収容室８内に収容されると、筒状の電気接触部４１は、コネクタハウジング７の表面３３ａからコネクタハウジング７内に没する。
【００６９】
また、完全挿入時には、雌端子４０の電気接触部４１は、コネクタハウジング７の表面３３ａから距離Ｌ２コネクタハウジング７内に没している。距離Ｌ２は、本明細書に記した所望の距離をなしている。距離Ｌ２は、係止アーム３２が雌端子４０に係止した状態即ち雌端子４０がコネクタハウジング７の正規の位置に収容された時の雌端子４０の電気接触部４１の電線接続部３０から離れた側の先端部４１ａとコネクタハウジング７の表面３３ａとの距離をなしている。なお、先端部４１ａは、本明細書に記した雌端子４０の先端部をなしている。
【００７０】
また、不完全挿入時には、雌端子４０の電気接触部４１の先端部４１ａとコネクタハウジング７の表面３３ａとの距離は、前記距離Ｌ２より大きくなる。
【００７１】
本実施形態の検査ピン１の導通接触部２２は、図１２及び図１３に示すように、円柱状に形成されており、接触キャップ２５は、円管状に形成されかつ導通接触部２２の接触面２２ａの外周に嵌合している。即ち、接触キャップ２５は、内側に導通接触部２２を配している。接触キャップ２５は、導通接触部２２の接触面２２ａよりコネクタ受け部１２から離れている。即ち、導通接触部２２は、接触キャップ２５よりコネクタ受け部１２に向かって突出している。導通接触部２２の接触面２２ａと接触キャップ２５との距離Ｔ２は、前述した距離Ｌ２より若干大きい。則ち、距離Ｔ２は、距離Ｌ２以上である。
【００７２】
距離Ｌ２と距離Ｔ２との差は、雌端子４０が前述した完全挿入であるか不完全挿入であるかを判定できる値であるのが望ましい。このため、雌端子４０が完全挿入であると、検査部１３をコネクタ受け部１２に近づけると、接触キャップ２５はコネクタ５の表面３３ａに接触せずに、図１４に示すように、導通接触部２２の接触面２２ａに雌端子４０の電気接触部４１の先端部４１ａが接触する。このため、雌端子４０が完全挿入であると、接触キャップ２５は導通接触部２２の接触面２２ａに雌端子４０の電気接触部４１の先端部４１ａが接触することを許容する。このため、接触キャップ２５は、雌端子４０の電気接触部４１の先端部４１ａとコネクタハウジング７の表面３３ａとの距離が予め定められる所望の距離Ｌ２以下であると、導通接触部２２の接触面２２ａが雌端子４０の電気接触部４１の先端部４１ａに接触することを許容する。
【００７３】
雌端子４０が不完全挿入であると、検査部１３をコネクタ受け部１２に近づけると、接触キャップ２５はコネクタ５の表面３３ａに接触して、図１５に示すように、導通接触部２２の接触面２２ａに雌端子４０の電気接触部４１の先端部４１ａが接触しない。このため、雌端子４０が不完全挿入であると、接触キャップ２５は導通接触部２２の接触面２２ａに雌端子４０の電気接触部４１の先端部４１ａが接触することを規制する。このため、接触キャップ２５は、雌端子４０の電気接触部４１の先端部４１ａとコネクタハウジング７の表面３３ａとの距離が予め定められる所望の距離Ｌ２を越えると、前記表面３３ａと接触して前記導通接触部２２の接触面２２ａが雌端子４０の電気接触部４１の先端部４１ａと接触することを規制する。
【００７４】
本実施形態によれば、接触キャップ２５がコネクタハウジング７の表面３３ａに接触するか否かで、導通接触部２２を雌端子４０と絶縁したり導通させる。このため、不完全挿入時に、雌端子４０の電気接触部４１の先端部４１ａの表面３３ａからの距離が所望の距離Ｌ２を上回ると、接触キャップ２５がコネクタハウジング７の表面３３ａと接触して導通接触部２２が雌端子４０の電気接触部４１の先端部４１ａと接触しない。
【００７５】
また、雌端子４０の先端部４１ａとコネクタハウジング７の表面３３ａとの距離が所望の距離Ｌ２以下であるか否かを検査する。このため、導通接触部２２の本体部２０から突没する量を雌端子４０の先端部４１ａとコネクタハウジング７の表面３３ａとの距離の公差のみに基づいて設定できる。このため、導通接触部２２が本体部２０から突没する量を設定する際に、コネクタハウジング７のそりを考慮する必要がなくなり、コネクタハウジング７のそりを考慮した場合より導通接触部２２が本体部２０から突没する量を非常に小さくできる。
【００７６】
このため、雌端子４０の先端部４１ａと表面３３ａとの距離が所望の距離Ｌ２を越える不完全挿入時に、導通接触部２２が雌端子４０の先端部４１ａと接触することを防止できる。したがって、誤検知を防止でき、雌端子４０の不完全挿入を確実に検知できる。
【００７７】
接触キャップ２５が管状でかつ導通接触部２２よりコネクタハウジング７の表面３３ａから離れている。このため、接触キャップ２５は、雌端子４０の電気接触部４１の先端部４１ａとコネクタハウジング７の表面３３ａとの距離が所望の距離Ｌ２を上回ると、確実にコネクタハウジング７の表面３３ａに接触する。
【００７８】
接触キャップ２５の導通接触部２２の接触面２２ａからの距離Ｔ２が所望の距離Ｌ２より大きい。これにより、接触キャップ２５は、雌端子４０の電気接触部４１の先端部４１ａとコネクタハウジング７の表面３３ａとの距離が所望の距離Ｌ２を上回ると、確実にコネクタハウジング７の表面３３ａに接触する。
【００７９】
このように、雌端子４０の電気接触部４１の先端部４１ａのコネクタハウジング７の表面３３ａからの距離が所望の距離Ｌ２以下であるか否かを確実に検知できる。このため、雌端子４０と検査ピン１とが絶縁するか導通するかで、雌端子４０が不完全挿入であるか否かを確実に検知できる。
【００８０】
前述した第１及び第２の実施形態では、接触キャップ２５と導通接触部２２とを互いに別体としている。しかしながら、本発明では、接触キャップ２５と導通接触部２２とを一体にしても良い。この場合、勿論、接触キャップ２５と導通接触部２２とを金属から構成するのが望ましい。
【００８１】
また、前述した実施形態では、突出量Ｔ１を距離Ｌ１より若干小さくし、距離Ｔ２を距離Ｌ２より若干大きくしている。しかしながら、本発明では、突出量Ｔ１を距離Ｌ１と等しくし、距離Ｔ２を距離Ｌ２と等しくしても良い。要するに、本発明では、突出量Ｔ１と距離Ｌ１との差が雄端子６の不完全挿入を検出できるのであれば、突出量Ｔ１を距離Ｌ１以下とすれば良い。本発明では、距離Ｔ２と距離Ｌ２との差が雌端子４０の不完全挿入を検出できるのであれば、距離Ｔ２を距離Ｌ２以上にすれば良い。
【００８２】
なお、前述した実施形態は本発明の代表的な形態を示したに過ぎず、本発明は、実施形態に限定されるものではない。即ち、本発明の骨子を逸脱しない範囲で種々変形して実施することができる。
【００８３】
【発明の効果】
以上説明したように、請求項１に記載の本発明によれば、不完全挿入時に、端子の先端部の端面からの突出量が所望の距離を下回ると、端面接触部がコネクタハウジングの端面と接触して導通接触部が端子の先端部と接触しない。このように、端子の先端部のコネクタハウジングの端面からの突出量が所望の距離以上であるか否かを確実に検知できる。このため、端子と絶縁するか導通するかで、端子が不完全挿入であるか否かを確実に検知できる。
【００８４】
また、導通接触部の本体部から突没する量を端子の先端部とコネクタハウジングの端面との距離の公差のみに基づいて設定できる。このため、導通接触部が本体部から突没する量を設定する際に、コネクタハウジングのそりを考慮する必要がなくなり、コネクタハウジングのそりを考慮した場合より導通接触部が本体部から突没する量を非常に小さくできる。
【００８５】
このため、端子の先端部と端面との距離が所望の距離を下回る不完全挿入時に、導通接触部が端子の先端部と接触することを防止できる。したがって、誤検知を防止でき、端子の不完全挿入を確実に検知できる。
【００８６】
請求項２に記載の本発明によれば、端面接触部は、端子の先端部とコネクタハウジングの端面との距離が所望の距離を下回ると、確実にコネクタハウジングの端面に接触する。このように、端子の先端部のコネクタハウジングの端面からの突出量が所望の距離以上であるか否かを確実に検知できる。このため、端子と絶縁するか導通するかで、端子が不完全挿入であるか否かを確実に検知できる。
【００８７】
請求項３に記載の本発明によれば、導通接触部からの突出量が所望の距離以下なので、端面接触部は、端子の先端部とコネクタハウジングの端面との距離が所望の距離を下回ると、確実にコネクタハウジングの端面に接触する。このように、端子の先端部のコネクタハウジングの端面からの突出量が所望の距離以上であるか否かを確実に検知できる。このため、端子と絶縁するか導通するかで、端子が不完全挿入であるか否かを確実に検知できる。
【００８８】
請求項４に記載の本発明によれば、不完全挿入時に、端子の先端部の端面からの距離が所望の距離を上回ると、端面接触部がコネクタハウジングの端面と接触して導通接触部が端子の先端部と接触しない。このように、端子の先端部のコネクタハウジングの端面からの距離が所望の距離以下であるか否かを確実に検知できる。このため、端子と絶縁するか導通するかで、端子が不完全挿入であるか否かを確実に検知できる。
【００８９】
また、導通接触部の本体部から突没する量を端子の先端部とコネクタハウジングの端面との距離の公差のみに基づいて設定できる。このため、導通接触部が本体部から突没する量を設定する際に、コネクタハウジングのそりを考慮する必要がなくなり、コネクタハウジングのそりを考慮した場合より導通接触部が本体部から突没する量を非常に小さくできる。
【００９０】
このため、端子の先端部と端面との距離が所望の距離を越える不完全挿入時に、導通接触部が端子の先端部と接触することを防止できる。したがって、誤検知を防止でき、端子の不完全挿入を確実に検知できる。
【００９１】
請求項５に記載の本発明によれば、端面接触部は、端子の先端部とコネクタハウジングの端面との距離が所望の距離を上回ると、確実にコネクタハウジングの端面に接触する。このように、端子の先端部のコネクタハウジングの端面からの距離が所望の距離以下であるか否かを確実に検知できる。このため、端子と絶縁するか導通するかで、端子が不完全挿入であるか否かを確実に検知できる。
【００９２】
請求項６に記載の本発明によれば、導通接触部からの距離が所望の距離以上なので、端面接触部は、端子の先端部とコネクタハウジングの端面との距離が所望の距離を上回ると、確実にコネクタハウジングの端面に接触する。このように、端子の先端部のコネクタハウジングの端面からの距離が所望の距離以下であるか否かを確実に検知できる。このため、端子と絶縁するか導通するかで、端子が不完全挿入であるか否かを確実に検知できる。
【００９３】
請求項７に記載の本発明によれば、検査ピンの端面接触部がコネクタハウジングの端面に接触するか否かで、導通接触部を端子と絶縁したり導通させる。このため、検査ピンが端子と絶縁するか導通するかで、端子が不完全挿入であるか否かを検知できる。
【００９４】
また、導通接触部の本体部から突没する量を端子の先端部とコネクタハウジングの端面との距離の公差のみに基づいて設定できる。このため、導通接触部が本体部から突没する量を設定する際に、コネクタハウジングのそりを考慮する必要がなくなり、コネクタハウジングのそりを考慮した場合より導通接触部が本体部から突没する量を非常に小さくできる。
【００９５】
このため、端子の先端部と端面との距離が所望の距離を下回る又は越える不完全挿入時に、導通接触部が端子の先端部と接触することを防止できる。したがって、誤検知を防止でき、端子の不完全挿入を確実に検知できる。
【図面の簡単な説明】
【図１】本発明の第１の実施形態にかかるワイヤハーネス用検査治具を示す斜視図である。
【図２】図１に示されたワイヤハーネス用検査治具の検査部とコネクタ受け部などを断面で示す平面図である。
【図３】図２に示された検査部とコネクタ受け部とを互いに近づけた状態を断面で示す平面図である。
【図４】図１に示されたワイヤハーネス用検査治具の検査ピンを示す平面図である。
【図５】図４に示されたワイヤハーネス用検査治具の検査ピンを断面にして示す平面図である。
【図６】図１に示されたワイヤハーネス用検査治具で、雄端子の完全挿入時に検査ピンの導通接触部と雄端子とが接触する状態を示す説明図である。
【図７】図１に示されたワイヤハーネス用検査治具で、雄端子の不完全挿入時に検査ピンの導通接触部と雄端子とが接触しない状態を示す説明図である。
【図８】図５に示されたワイヤハーネス用検査治具の検査ピンの導通接触部と接触キャップを断面にして示す平面図である。
【図９】図８に示されたワイヤハーネス用検査治具の検査ピンの導通接触部と接触キャップの変形例を断面にして示す平面図である。
【図１０】本発明の第２の実施形態にかかるワイヤハーネス用検査治具の検査部とコネクタ受け部などを示す断面で示す平面図である。
【図１１】図１０に示された検査部とコネクタ受け部とを互いに近づけた状態を断面で示す平面図である。
【図１２】図１０に示されたワイヤハーネス用検査治具の検査ピンの要部を示す平面図である。
【図１３】図１２に示されたワイヤハーネス用検査治具の検査ピンの要部を断面にして示す平面図である。
【図１４】図１０に示されたワイヤハーネス用検査治具で、雌端子の完全挿入時に検査ピンの導通接触部と雌端子とが接触する状態を示す説明図である。
【図１５】図１０に示されたワイヤハーネス用検査治具で、雌端子の不完全挿入時に検査ピンの導通接触部と雌端子とが接触しない状態を示す説明図である。
【符号の説明】
１  ワイヤハーネス用検査治具の検査ピン
２  ワイヤハーネス用検査治具
３  ワイヤハーネス
６  雄端子（端子）
１２  コネクタ受け部
１３  検査部
２０  本体部
２２  導通接触部
２５  接触キャップ（端面接触部）
３１ａ  先端部
３３ａ  表面（端面）
４０  雌端子（端子）
４１ａ  先端部
Ｌ１  距離（所望の距離）
Ｌ２  距離（所望の距離）
Ｔ１  突出量
Ｔ２  距離
【図１】
2005044567.tif 000003
【図２】
2005044567.tif 000004
【図３】
2005044567.tif 000005
【図４】
2005044567.tif 000006
【図５】
2005044567.tif 000007
【図６】
2005044567.tif 000008
【図７】
2005044567.tif 000009
【図８】
2005044567.tif 000010
【図９】
2005044567.tif 000011
【図１０】
2005044567.tif 000012
【図１１】
2005044567.tif 000013
【図１２】
2005044567.tif 000014
【図１３】
2005044567.tif 000015
【図１４】
2005044567.tif 000016
【図１５】
2005044567.tif 000017